(57)【要約】見込み取引者と取引先との間の金融取引を助成するシステムは、見込み取引者の身元および見込み取引者が金融機関に対して有するアカウントを検証する身元・アカウント検証設備を有する。身元・アカウント検証設備は独立した検証者により運用される。身元・アカウント検証設備は、見込み取引者の識別子と、取引者が金融機関に対して有する少なくとも１つのアカウントの詳細と、を記憶する記憶手段を含む。識別子入力手段が設けられ、これにより取引者はサービスに利用を申込む時に自分の識別子を入力することができる。取引者が取引先と金融取引を行うのに先立ってアカウントの詳細および識別子を検証者に提供し検証者から検証確認または拒絶を受け取るため、取引者の金融機関に対するアカウントの詳細を取得するアカウント詳細取得手段ち、取引者が自分の識別子を入力する識別子入力手段と、独立した検証者と通信する通信手段と、が取引先のもとに配置される。
2010510565.tif 000002
【特許請求の範囲】
【請求項１】
見込み取引者の身元と、前記見込み取引者が金融機関に対して有するアカウントと、を検証する身元・アカウント検証設備を含む、見込み取引者と取引先との間の金融取引を助成するシステムであって、
前記身元・アカウント検証設備は独立の検証者によって運用される、見込み取引者と取引先との間の金融取引を助成するシステム。
【請求項２】
前記身元・アカウント検証設備は、前記見込み取引者の識別子および前記取引者が前記金融機関に対して有する少なくとも１つのアカウントの詳細を記憶する記憶手段を含む、請求項１に記載の見込み取引者と取引先との間の金融取引を助成するシステム。
【請求項３】
前記身元・アカウント検証設備は、前記取引者が自分の識別子を入力することができる識別子入力手段を含む、請求項２に記載の見込み取引者と取引先との間の金融取引を助成するシステム。
【請求項４】
前記身元・アカウント検証設備は、前記見込み取引者が前記金融機関に対して有するアカウントの詳細を取得するアカウント詳細取得手段を含む、請求項２に記載の見込み取引者と取引先との間の金融取引を助成するシステム。
【請求項５】
前記身元・アカウント検証設備は、関連する金融機関との金融のアカウントの詳細を確認するために金融機関と通信する通信手段を含む、請求項３に記載の見込み取引者と取引先との間の金融取引を助成するシステム。
【請求項６】
前記身元・アカウント検証設備は、前記検証者による検証のために前記取引先から前記見込み取引者の識別子およびアカウントの詳細を受け取る受信手段を含む、請求項２に記載の見込み取引者と取引先との間の金融取引を助成するシステム。
【請求項７】
前記身元・アカウント検証設備は、見込み取引者の識別子およびアカウントの詳細の検証要求に応じて取引先に応答する応答手段を含む、請求項６に記載の見込み取引者と取引先との間の金融取引を助成するシステム。
【請求項８】
前記身元・アカウント検証設備は、前記取引先から受け取った暗号化されたデータを復号する復号手段を含む、請求項６に記載の見込み取引者と取引先との間の金融取引を助成するシステム。
【請求項９】
取引者が電子金融取引を行う前に、見込み取引者の身元と、前記見込み取引者の者が金融機関に対して有するアカウントと、を独立した検証者によって検証することを含む、見込み取引者と取引先との間の金融取引を助成する方法。
【請求項１０】
前記見込み取引者の識別子と、前記取引者が金融機関に対して有するアカウントの詳細と、を前記検証者が記憶することを含む、請求項９に記載の見込み取引者と取引先との間の金融取引を助成する方法。
【請求項１１】
前記見込み取引者の識別子を取得し、前記見込み取引者の身元を確認することを含む、請求項１０に記載の見込み取引者と取引先との間の金融取引を助成する方法。
【請求項１２】
前記見込み取引者が金融機関に対して有するアカウントの詳細を取得することを含む、請求項１０に記載の見込み取引者と取引先との間の金融取引を助成する方法。
【請求項１３】
金融機関に対するアカウントを確認することを含む、請求項９に記載の見込み取引者と取引先との間の金融取引を助成する方法。
【請求項１４】
見込み取引者が金融機関に対して有するアカウントの詳細を取得するアカウント詳細取得手段と、
取引者が自分の識別子を入力することができる識別子入力手段と、
独立した検証者と通信することにより、アカウントの詳細および識別子を前記検証者に提供すると共に、検証確認または拒絶を前記検証者から受け取る通信手段と、を含む、取引者が取引先と電子金融取引を行うのに先立って取引者の詳細を検証するシステム。
【請求項１５】
アカウント詳細取得手段と、識別子入力手段と、通信手段と、が取引先に配置される、請求項１４に記載の取引者が取引先と電子金融取引を行うのに先立って取引者の詳細を検証するシステム。
【請求項１６】
前記検証者に送られるデータを暗号化する暗号化手段を含む、請求項１４に記載の取引者が取引先と電子金融取引を行うのに先立って取引者の詳細を検証するシステム。
【請求項１７】
金融取引の開始に先立って、見込み取引者の識別子およびアカウントの詳細を検証のために独立した証明者へ送るようプログラムされたＰＯＳ装置。
【請求項１８】
取引先は、見込み取引者が金融機関に対して有するアカウントの詳細を取得し、
前記見込み取引者から前記見込み取引者の識別子を取得し、
前記アカウントの詳細および前記識別子を独立した検証者に伝え、
前記検証者から検証確認または拒絶を受け取る、取引者が取引先と電子金融取引を行う前に取引者の詳細を検証する方法。
【請求項１９】
金融取引の開始に先立つ検証のために、見込み取引者の識別子およびアカウントの詳細を独立した検証者に送るようにＰＯＳ装置をプログラムすることを含む、安全な電子金融取引を行うためにＰＯＳ装置を用意する方法。
【請求項２０】
添付図面に関してここに実質的に記載された、見込み取引者と取引先との間の金融取引を助成するシステム。
【請求項２１】
添付図面に関してここに実質的に記載された、見込み取引者と取引先との間の金融取引を助成する方法。
【請求項２２】
添付図面に関してここに実質的に記載された、取引者が取引先と電子金融取引を行うのに先立って取引者の詳細を検証するシステム。
【請求項２３】
添付図面に関してここに実質的に記載された、取引者が取引先と電子金融取引を行うのに先立って取引者の身元を検証する方法。
【発明の詳細な説明】
【技術分野】
【０００１】
本発明は、取引者の電子金融取引に先立つ見込み取引者の身元検証に関する。より詳しくは、本発明は、取引者の電子金融取引に先立つ取引者の身元（identity）を検証するシステムおよび方法に関する。
【発明の概要】
【課題を解決するための手段】
【０００２】
一般に、本発明によれば、見込み金融取引者によって提供された識別子が、取引の当事者ではない第三者である検証者により記憶される。引き続き、取引者が取引したい相手の商人または金融機関（“取引先（transactee）”）のために、取引先が取引を進めるのに先立ち、取引者であると称する者が取引者であることを取引先に納得させるため、検証者によって識別子が検証される。見込み取引者の身元に関して第三者自身が納得していることは十分に理解されるだろう。
【０００３】
識別子は、ＰＩＮまたはバイオメトリックスキャン画像であってよい。
【０００４】
取引は、詳細には販売時点情報管理（ＰＯＳ）取引とすることができ、商人が見込み取引者の身元を確認する必要があることは十分に理解されるだろう。識別子は、取引者が金融機関に対して有するアカウントまたは、同一または異なる金融機関とのいくつかのアカウントにリンクされているとよい。検証者は、検証者によって提供されたサービスに取引者が利用申込みをする時に、取引者が金融機関との関連するアカウントを有することを確認することができる。
【０００５】
従って、本発明の第１の態様によれば、見込み取引者と取引先との間の金融取引を助成するためのシステムが提供される。それは、見込み取引者の身元および見込み取引者が金融機関に対して有するアカウントを検証する身元・アカウント検証設備を含む。身元・アカウント検証設備は、独立した検証者によって運用される。
【０００６】
さらに本発明の第１の態様によれば、見込み取引者と取引先との間の金融取引を助成する方法が提供される。これは、取引者が電子金融取引を行うのに先立ち、見込み取引者の身元および、その者が金融機関に対して有するアカウントを、独立した検証者によって検証することを含む。
【０００７】
身元・アカウント検証設備は、見込み取引者の識別子および取引者が金融機関に対して有する少なくとも１つのアカウントの詳細を記憶する記憶手段を含むとしてよい。これはまた、取引者が自分の識別子を入力することができる識別子入力手段と、見込み取引者が金融機関に対して有する１（または複数）のアカウントの詳細を取得するアカウント詳細取得手段を有していてよい。
【０００８】
検証者は、金融のアカウントの詳細を確認することができ、関連する金融機関に対する金融のアカウントの詳細を検証するために金融機関と通信するための通信手段を有することができる。証明者はまた、検証するべき見込み取引者の識別子およびアカウントの詳細を取引先から受け取るための受信手段と、見込み取引者の識別子およびアカウントの詳細を検証する要求に応じて取引先に応答する応答手段と、を有することもできる。
【０００９】
データは、暗号化された形態で検証者に送られるのが好ましい。そのため、身元・アカウント検証設備はまた、暗号化されたデータを復号するための復号手段をも含むことができる。
【００１０】
検証者が、アカウントの所有者であると称する者が本当にその者であることを納得するのは明らかである。これはその人物のＩＤ帳を参照することによって可能となる。さらに、身元・アカウント検証設備は極めて安全な環境にあるだろう。
【００１１】
本発明の第２の態様によれば、取引者が電子金融取引を行う前に、取引者の詳細を検証するシステムが提供される。これは、見込み取引者が金融機関に対して保持するアカウントの詳細を取得するためのアカウント詳細取得手段と、取引者が自分の識別子を入力することができる識別子入力手段と、アカウント詳細および識別子を検証者に提供するために独立した第三者である検証者と通信して検証者から検証確認または拒絶を受け取るための通信手段と、を含む。
【００１２】
アカウント詳細提供手段、識別子入力手段および通信手段が見込み取引先に配置されることは十分に理解されるだろう。
【００１３】
さらに、本発明の第２の態様によれば、取引者が電子金融取引を行うのに先立ち、取引者の詳細を検証する方法が提供される。見込み取引先は、見込み取引者が金融機関に対して有するアカウントの詳細を取得し、見込み取引者の識別子を見込み取引者から取得し、アカウント詳細および識別子を独立した第三者である検証者に伝え、検証者から検証確認または拒絶を受け取る。
【００１４】
本発明の第２の態様によるシステムは、見込み取引者に関する情報を取得する個人情報取得手段を含むことができる。
【００１５】
さらに本発明の第２の態様によれば、金融取引の開始に先立つ検証のために、見込み取引者の識別子およびアカウント詳細を、独立した検証者に送るようにプログラムされたＰＯＳ装置が提供される。
【００１６】
これに応じて、本発明の第２の態様は、金融取引の開始に先立つ検証のために独立した検証者に見込み取引者の識別子およびアカウント詳細を送るようにＰＯＳ装置をプログラムする方法に及ぶ。
【００１７】
本発明の第２の態様によるシステムは、検証者に送られるデータを暗号化するための暗号化手段を有することができる。
【００１８】
識別子はバイオメトリックとすることができ、その場合、識別子入力手段はバイオメトリックスキャナとすることができる。また、識別子はＰＩＮとすることができ、その場合、識別子入力手段はキーパッドとすることができる。
【００１９】
また、さらに、大部分のＰＯＳ取引が、磁気ストリップまたはチップ（いわゆる“スマートカード”）のいずれかを備えたカードを使用しており、アカウント番号等のアカウントの詳細がカードに記憶されていることを当業者は知っているだろう。従って、アカウント詳細取得手段は、便宜的にカード読取装置とすることができる。
【００２０】
検証者によって使用される識別子は、見込み取引者が自分のアカウントに対して使用する識別子と同一でも、または異なっていてもよい。
【図面の簡単な説明】
【００２１】
【図１】本発明による、見込み取引者と取引先との間の金融取引を助成するためのシステムおよび電子金融取引が行われる前に見込み取引者の詳細を検証するためのシステムを図式的に示す。
【発明を実施するための形態】
【００２２】
ここで、添付の概略図面を参照して、非限定的な例によって本発明を説明する。
【００２３】
図面において、参照数字１０は、電子金融取引の実行に先立って見込み取引者の詳細を検証するシステムを全体的に参照する。参照数字１１は、本発明による、取引を助成するシステムを全体的に参照する。システム１０は、販売時点情報管理（“ＰＯＳ”）装置１２と、指紋スキャナ１４と、を有する。システム１１は、プロセッサ１６と、別の指紋スキャナ１８と、記憶装置２０と、カード読取装置２２と、を有する。システム１１は身元・アカウント検証設備を構成する。カード読取装置２２は、磁気ストリップまたはスマートカードのいずれか、またはデビットカード、クレジットカードまたは小切手のいずれかを読取る。ＰＯＳ装置１２は、インターネットまたはプライベートネットワークであってよい通信ネットワーク２４を介して、プロセッサ１６に接続されている。また、ＰＯＳ装置１２は取得銀行のコンピュータ設備２６ともネットワーク２４を介して通信する。ＰＯＳ装置１２は、磁気カード読取装置２８と、ディスプレイ３０と、制御ボタン３２と、キーパッド３４と、暗号化装置３６と、を有する。プロセッサ１６はさらに、ＰＯＳ装置１２からデータを受け取る受信機モジュール３８と、暗号化されたデータを復号するための復号装置４０と、ＰＯＳ装置１２に応答メッセージを送るための応答モジュール４２と、を有する。
【００２４】
ＰＯＳ装置１２およびスキャナ１４は商人のもとに配置される。プロセッサ１６、スキャナ１８、記憶装置２０およびカード読取装置２２によって構成される身元・アカウント検証設備は、信用ある独立した証明者のもとに配置されるとともに運用される。
【００２５】
さらに、ＰＯＳ装置が本発明にそって動作するように修正されプログラムされた従来の装置であることは、十分に理解されるであろう。
【００２６】
使用時、検証者によって提供される検証サービスに利用申込みをしたい人物は、自分のアカウント詳細を提供するために読取装置２２を用いて自分のカードを読取らせ、スキャナ１８で指紋をスキャンさせる。その人物の身元は、例えばその人物ＩＤ帳やカードの参照によって慎重に確認される。その人物の身元はまた、その指紋を公式な政府データベース上の指紋と照合することによって確認することができる。その人物のアカウントは、関連する銀行または他の金融機関への連絡によって確認される。そして、その人物の名前、アカウント番号、および指紋は、暗号化されて記憶装置２０に記憶される。
【００２７】
その人物が商人のもとで金融取引を行いたい時、その人物が使用したいカードはＰＯＳ装置１２のカード読取装置２８に通すことによって読取られ、指紋はスキャナ１４によってスキャンされる。カードから取得されたその人物の名前及びアカウント番号、並びに指紋スキャン画像は引き続き暗号化装置３６によって暗号化され、プロセッサ１６に送られる。このデータは受信機モジュール３８によって受け取られ、復号装置４０によって復号される。そして、その人物の名前および指紋は、記憶装置２０のアカウント番号について記憶された対応する情報と比較される。これらが同一（または十分に類似）である場合には、見込み取引者の身元が証明され、そして適切な承認信号が回答モジュール４２によってＰＯＳ装置１２に送られる。これらが十分に異なる場合には適切な否認信号がＰＯＳ装置１２に送られる。検証の結果はディスプレイ３０に表示される。見込み取引者の身元が証明された場合には金融取引が通常通り自動的に進行する。その人物の詳細が証明されない場合には取引は進行しない。
【図１】
2010510565.tif 000003
【国際調査報告】
2010510565.tif 000004
2010510565.tif 000005
2010510565.tif 000006